(57)【要約】  本発明は、短時間に複数のシート片の貼着作業を行うための転写シートを提供することを目的とし、その転写シートを使用したシート片の貼着方法を提供することを目的とする。本発明は、所定の情報が形成されたシート状部材を切断してなるシート片を、ステップ部又はライザ部の凹部の底面に貼着させる前に、基材の開口間に粘着させ、開口に凸部を挿通するようにシート片と凹部の底面を接触させ、押圧部材によってシート片を凹部の底面に向かって押圧することで、ステップ部又はライザ部に貼着されたシート片は、貼着された位置がずれずにきれいに貼着できるとともに、切断前に形成されていた所定の情報を認識することができる。また、転写シートを用いることで、複数のシート片を歪みなく、ステップ部又はライザ部の凹部の底面の長手方向に対して斜行することなく、短時間にきれいに貼着することができる。
2008018224.tif 000002
【特許請求の範囲】
【請求項１】
シート状の基材と、
櫛目状の凹部及び凸部が交互に複数形成されたステップ部及びライザ部を有するエスカレータの複数の前記凸部が挿通可能な形状に形成された複数の開口と、
一方主面に所定の情報が形成され、前記一方主面の反対側の他方主面に前記凹部の底面に貼着させる貼着層を有するシート部材を前記ステップ部又は前記ライザ部の前記凹部の底面の形状に対応する形状となるように切断してなる複数のシート片を、前記基材に形成された複数の前記開口間に粘着させる粘着層とを有することを特徴とする転写シート。
【請求項２】
前記開口は、
前記シート片の長手方向長さより長い長辺と、
前記エスカレータのステップ部又はライザ部の前記凸部の幅方向の長さと略同じ短辺とからなる長方形状であることを特徴とする請求項１に記載の転写シート。
【請求項３】
前記粘着層は、複数の前記シート片の当該粘着層と接触する一方主面の反対側の他方主面に備えられた前記凹部の底面に前記シート片を貼着するための前記貼着層の粘着力よりも弱い粘着力を有していることを特徴とする請求項１又は２に記載の転写シート。
【請求項４】
一方主面に所定の情報が形成され、櫛目状の凹部及び凸部が交互に形成されたステップ部及びライザ部を有するエスカレータの前記凹部の底面に貼着させる貼着層を前記一方主面の反対側の他方主面に有するシート部材を、前記凹部の底面の形状に対応する形状となるように切断して、複数のシート片を形成する工程と、
凸部が挿通可能な形状に形成された複数の開口を有する基材の前記開口間に形成された粘着層に、前記一方主面を向かい合わせるように複数の前記シート片を粘着させる工程と、
前記凹部の底面に前記シート片の前記貼着層を向かい合わせるように、前記シート片が粘着された前記基材の前記開口に前記凸部を挿通する工程と、
複数の前記凹部の形状に合わせた複数の突起を有する押圧部材で、前記凸部を前記開口に挿通させた前記基材を前記凹部の底面に向かって押圧し、前記シート片を前記凹部の底面に貼着させる工程とを有することを特徴とするシート片貼着方法。
【請求項５】
前記シート部材の貼着層には、剥離紙が備えられ、
前記シート部材は、剥離紙を切断せずに前記凹部の底面の形状に対応する形状となるように切断されることを特徴とする請求項４記載のシート片貼着方法。
【発明の詳細な説明】
【技術分野】
【０００１】
本発明は、エスカレータのステップ部又はライザ部に形成される櫛目状の複数の凹部底面に、所定の上方を有する表示シートを切断したシート片を貼着するための転写シートに関するものであり、また、この転写シートを使用してシート片を貼着する方法に関するものである。
【背景技術】
【０００２】
従来、エスカレータの手摺り部分に印刷した特殊シートを貼着して所定の情報を表示したものがあった。さらに、エスカレータの手摺り部分の形状に対応する形状の透明なカバーを設け、所定の情報が形成されたシートをその手摺り部分と透明なカバーとの間に挟み込むものがあった（例えば特許文献１参照。）しかしながら、手摺り部分の幅は約８ｃｍで、多くの情報を表示したり、デザイン性のある情報を表示するには、狭すぎるという問題点があった。【０００３】
また、エスカレータは、櫛目状の凹部を複数有するステップ部とライザ部とにより構成されており、ステップ部の端部とライザ部とが噛合して、ステップ部とライザ部とがエスカレータ内部に収納される。そのため、ステップ部とライザ部に単に所定の情報を形成した表示シートを貼着してもステップ部の端部とライザ部とが噛合うことで剥がれてしまい、その剥がれた表示シートが異物としてエスカレータの内部に入り込むことで、運転できなくなるという問題もあった。【０００４】
そこで、本発明の発明者は、エスカレータの手摺り部分よりも広いステップ部又はライザ部に貼着され、ステップ部の端部とライザ部とが噛合しても剥がれることのない表示シートを開発した。具体的には、所定の情報が形成されたシート部材をステップ部又はライザ部の凹部底面の形状に対応する形状となるように切断された複数のシート片により構成され、シート片は、切断前のシート部材に形成された情報が認識可能なようにステップ部又はライザ部の底面に貼着されるものである。また、同様にエスカレータのステップ部又はライザ部に貼着される表示シートがある（例えば、特許文献２参照）。
【特許文献１】特開平０７−２０６３５２号公報
【特許文献２】実開昭６１−１７１７８８号公報
【０００５】
このような表示シートの場合、エスカレータを一旦停止させ、切断した複数のシート片を１枚ずつエスカレータのステップ部又はライザ部の凹部底面に順番に貼着させる必要がある。そのため、シート片の貼着作業が繁雑で作業時間が長くなり、それに伴い、エスカレータを停止させている時間が長くなってしまう。【０００６】
そして、特許文献２には、あらかじめ、表示シートを形成するシート片の間にエスカレータのステップ部又はライザ部の凸部の幅分だけ余白を設け、この余白部分がステップ部又はライザ部の凸部の先端にくるように、シート片を位置合わせし、シート片を櫛状部材で押して貼着する方法が記載されている。しかしながら、この場合、余白部分は、ステップ部又はライザ部の凸部先端の幅となるため、シート片が粘着する離面シートの裏側から、複数のシート片を櫛状部材で同時に押しても、ステップ部又はライザ部の凹部底辺までシート片が届かないため、シート片を貼着することができない。無理に凹部底面に押し込んだ場合、シート片の位置がずれたり、歪んでしまう。また、湾曲しているライザ部にシート片を貼着しようとする場合は、位置がずれるだけでなく、シート片を備える離面シートが歪み、シート片を貼着する凹部の長手方向に対してシート片が斜行してしまう。したがって、この方法では、かえって作業が繁雑となり、長時間の作業時間が必要となる。
【発明の開示】
【０００７】
そこで、本発明は、上記実状に鑑み、シート片をステップ部又はライザ部の凹部底面に貼着する際に、シート片の位置がずれたり、歪んだりすることなく、シート片がステップ部又はライザ部の凹部底面に達し、複数のシート片を同時に凹部底面に貼着させることができる転写シートを提供することを目的とする。また、その転写シートを使用して、短時間にシート片を貼着する方法を提供することを目的とする。
【０００８】
そこで、本発明の転写シートは、シート状の基材と、櫛目状の凹部及び凸部が交互に複数形成されたステップ部及びライザ部を有するエスカレータの複数の前記凸部が挿通可能な形状に形成された複数の開口と、一方主面に所定の情報が形成され、前記一方主面の反対側の他方主面に前記凹部の底面に貼着させる貼着層を有するシート部材を前記ステップ部又は前記ライザ部の前記凹部の底面の形状に対応する形状となるように切断してなる複数のシート片を、前記基材に形成された複数の前記開口間に粘着させる粘着層とを有することを特徴とする。
【０００９】
本発明の転写シートによれば、シート片が粘着される基材には、シート片を貼着させるステップ部又はライザ部の凸部が挿通可能な開口を有し、開口間に切断された複数のシート片を粘着する粘着層を有している。そのため、シート片をこの粘着層に粘着させ、開口を凸部に挿通させると、ステップ部又はライザ部と複数のシート片との位置が定まる。すなわち、転写シートにより、容易にシート片を貼着する位置が決定できる。位置が定まったシート片は、同時に凹部の底面に接触するため、このシート片を凹部の底面に向かって押圧することで、素早くシート片を貼着することができる。したがって、シート片の貼着作業が軽減され、短時間にシート片を貼着することができる。
【００１０】
本発明のシート片貼着方法は、一方主面に所定の情報が形成され、櫛目状の凹部及び凸部が交互に形成されたステップ部及びライザ部を有するエスカレータの前記凹部の底面に貼着させる貼着層を前記一方主面の反対側の他方主面に有するシート部材を、前記凹部の底面の形状に対応する形状となるように切断して、複数のシート片を形成する工程と、凸部が挿通可能な形状に形成された複数の開口を有する基材の前記開口間に形成された粘着層に、前記一方主面を向かい合わせるように複数の前記シート片を粘着させる工程と、前記凹部の底面に前記シート片の前記貼着層を向かい合わせるように、前記シート片が粘着された前記基材の前記開口に前記凸部を挿通する工程と、複数の前記凹部の形状に合わせた複数の突起を有する押圧部材で、前記凸部を前記開口に挿通させた前記基材を前記凹部の底面に向かって押圧し、前記シート片を前記凹部の底面に貼着させる工程とを有することを特徴とする。
【００１１】
本発明のシート片貼着方法によれば、所定の情報が形成されたシート状部材を切断してなるシート片を、ステップ部又はライザ部の凹部の底面に貼着させる前に、基材の開口間に粘着させる。そして、開口に凸部を挿通するようにシート片と凹部の底面を接触させ、押圧部材によってシート片を凹部の底面に向かって押圧することで、隣接するシート片の順番の入れ違い及びシート片の位置のずれがなく、同時に凹部の底面に貼着することができる。すなわち、ステップ部又はライザ部に貼着されたシート片は、貼着された位置がずれずにきれいに貼着できるとともに、切断前に形成されていた所定の情報を認識することができる。そして、シート片を貼着する位置を気にせずに、同時に凹部の底面に貼着することができるため、シート片を１枚ずつ貼着させていた従来の方法に比べて格段に素早く作業することができる。
【００１２】
本発明は、所定の情報が形成されたシート状部材を切断してなるシート片を、ステップ部又はライザ部の凹部の底面に貼着させる前に、基材の開口間に粘着させる。そして、開口に凸部を挿通するようにシート片と凹部の底面を接触させ、押圧部材によってシート片を凹部の底面に向かって押圧することで、隣接するシート片の順番の入れ違い及びシート片の位置がずれずに、同時に凹部の底面に貼着することができる。また、転写シートを用いることで、複数のシート片を歪みなく、ステップ部又はライザ部の凹部の長手方向に対して斜行することなく、短時間にきれいに貼着することができる。そして、シート片を貼着する位置を気にせずに、同時に凹部の底面に貼着することができるため、シート片を１枚ずつ貼着させていた従来の方法に比べて格段に素早く作業することができる。
【図面の簡単な説明】
【００１３】
【図１】本発明を適用するエスカレータを説明する図である。
【図２】図１のエスカレータのステップ部とライザ部とが噛合する部分を拡大した図である。
【図３】本発明で使用する所定の情報が形成されたシート部材の一例を示す図である。
【図４】図３のシート部材の切断によりなる凹部底面に貼着させるシート片を説明する図である。
【図５】本発明の転写シートの構造を説明する図である。
【図６】本発明の押圧部材の構造を説明する図である。
【図７】本発明のシート片貼着方法の転写シートにシート片を粘着させる工程を説明する図である。
【図８】本発明のシート片貼着方法の転写シートに粘着させたシート片を押圧部材で凹部底面に貼着させる工程を説明する断面図である。
【図９】本発明のシート片貼着方法によって、シート片が貼着されたエスカレータを示す図である。
【発明を実施するための最良の形態】
【００１４】
以下、本発明について図面を参照しながら説明する。【００１５】
図１は、所定の情報を有する表示シートが切断された複数のシート片を備えるステップ部又はライザ部を有するエスカレータの一例を示す図である。エスカレータ１は、複数の踏み込み台１０が無端状に連結されたもので、この複数の踏み込み台１０が回転することで、利用者を上層階又は下層階の方向に移動させるものである。この踏み込み台１０は、櫛目状の凹部を複数有するステップ部１１及びライザ部１２とを複数有している。【００１６】
ステップ部１１は、エスカレータ１が設置される地面に対してほぼ平行の面を有し、エスカレータ１を利用する利用者が乗る面の部分である。このステップ部１１は、踏み込み台１０の進行方向に対して平行となるように櫛目状の凹部が所定の間隔で複数形成されている。そして、ステップ部１１の端部には、ステップ部１１の凹部１１０と凹部１１０との間に凸部１１１が形成されている。この凸部１１１は、隣接する上方の踏み込み台１０のライザ部１２の凹部と噛合するように突出している。【００１７】
ライザ部１２は、当該ライザ部１２のある踏み込み台１０のステップ部１１の隣接する下方側の踏み込み台１０のステップ部１１を繋ぐように、当該ライザ部１２のある踏み込み台１０のステップ部１１と接続固定されている。そしてライザ部１２は、ステップ部１１との接続部分が鋭角となり、隣接する下方側の踏み込み台１０のステップ部１１に向かって湾曲しながら傾斜した形状となっている。このライザ部１２にも、踏み込み台１０の進行方向に対して平行となるように櫛目状の凹部１２０が所定の間隔で複数形成されており、凹部１２０と凹部１２０との間に凸部１２１が形成されている。この凹部１２０は、上述のように、隣接する下方側のステップ部１１の端部に突出した凸部１１１と、ライザ部１２の凹部１２０が噛合するような間隔で形成されている。【００１８】
ステップ部１１の凹部１１０には、隣接する凸部１１１の２つの壁面との間に挟まれるように凹部底面１１５がある。同様に、ライザ部１２の凹部１２０にも、隣接する凸部１２１の２つの壁面との間に挟まれるように凹部底面１２５がある。このような踏み込み台１０を有するエスカレータ１は、ステップ部１１の端部の凸部１１１とライザ部１２の凹部１２０とが、図２のように噛合し、踏み込み台１０のステップ部１１と隣接する踏み込み台１０のステップ部１１とが平坦になるように踏み込み台１０を収納する。【００１９】
このとき、このステップ部１１の凹部底面１１５は、ライザ部１２の凸部１２１と接触せず、また、ライザ部１２の凹部底面１２５は、ステップ部１１の凸部１１１と接触しないように所定の隙間が形成される。なお、図１及び図２のように、ステップ部１１において、ステップ部１１とライザ部１２との接続部分からステップ部１１の端部までの長さをＸ１、ステップ部１１の隣接する２つの凸部１１１間の距離、すなわち凹部底面１１５の幅をＹ１、凸部１１１の幅をＺ１とする。そして、ライザ部１２において、ライザ部１２とステップ部１１との接合部分から隣接する踏み込み台１０のステップ部１１端部までの長さをＸ２、ライザ部１２の隣接する２つの凸部１２１間の距離、すなわち凹部底面１２５の幅をＹ２、凸部１２１の幅をＺ２とする。なお、ステップ部１１の凹部底面１１５の幅Ｙ１は、そのステップ部１１の凸部１１１の幅Ｚ１よりも長い。同様に、ライザ部１２の凹部底面１２５の幅Ｙ２は、そのライザ部１２の凸部１２１の幅Ｚ２よりも長い。【００２０】
上述のようなエスカレータのステップ部１１の凹部底面１１５又はライザ部１２の凹部底面１２５には、所定の情報が形成されたシート部材を切断してなる複数のシート片が貼着される。以下、本発明の一例としてライザ部１２の凹部底面１２５に複数のシート片が貼着される例について説明するが、本発明は、ステップ部１１の凹部底面１１５に複数のシート片が貼着されるものであってもよく、同様にシート片を貼着することができる。【００２１】
図３のように、凹部底面１２５に貼着される複数のシート片２５は、所定の情報が形成されたシート部材２０を切断して形成される。このシート部材２０は、一方主面に図中の「ＡＢＣＤ」のような所定の情報が形成されている。そして、シート部材２０は、その所定の情報が形成される面に対して反対側の他方主面に、凹部底面１２５に貼着するための貼着層２９が備えられている。さらに、シート部材２０は、貼着層２９から比較的容易に剥離可能な剥離紙２８が備えられている。【００２２】
シート部材２０の厚さＤは特に限定するものではなく、シート片２５が貼着されるエスカレータの機種などによるが、ステップ部１１とライザ部１２とが噛合した際の凹部底面１２５と凸部１１１との隙間は、概ね１ｍｍから２ｍｍであるので、例えば１ｍｍ以下の厚さが好ましい。このシート部材２０の形状は、例えば、ライザ部１２の長さＸ２よりも短い長さＸを短辺とする長方形である。この場合、長方形のシート部材２０の長辺は、ライザ部１２の幅のよりも短い長さとなる。シート部材２０は、このような長方形に限られるものではなく、この長方形よりも小さい形状のもので有ればよい。【００２３】
複数のシート片２５は、このシート部材２０の長辺を切断してなる。このシート部材２０は、ライザ部１２の凹部底面１２５の幅Ｙ２と略同じ長さＹを幅とする短冊状のシート片２５と、凸部１２１の幅Ｚ２と略同じ長さＺを幅とする第２のシート片２６とが交互に並ぶように切断される。このとき、シート部材２０の貼着層２９に備えられる剥離紙２８を残して切断される。シート部材２０を切断して形成された長さＺを有する第２のシート片２６は、剥離紙２８から剥がされる。すなわち、剥離紙２８上には、図４のように、ライザ部１２の凹部底面１２５に貼着される複数のシート片２５が幅Ｚという隙間を空けた状態で配列されている。【００２４】
この複数のシート片２５は、本発明の転写シート３に粘着される。転写シート３は、シート片２５を形成するために切断したシート部材２０よりも撓みにくい程度の可撓性を有する材質のシート状の基材３１で形成されている。この基材３１の材質としては、後述する開口３０が設けられるものであれば特に限定するものではないが、ポリプロピレンやポリエチレン等の合成樹脂が挙げられる。この転写シート３の基材３１の厚さは、特に限定されるものではないが、０．７〜１．０ｍｍ程度であることが好ましい。これよりも厚い場合、撓みにくくなり、シート片２５の貼着が難しくなる。【００２５】
この基材３１には、エスカレータのライザ部１２の凸部１２１の幅Ｚ２と略同じ幅Ｚ’の開口３０が複数設けられている。この開口３０は、凸部１２１同士が平行に形成されている形状に合わせて、隣り合う開口３０の長辺同士が平行となるように設けられいている。そして、この複数の開口３０は、凹部底面１２５の幅Ｙ２と略同じ幅Ｙ’の間隔を空けて設けられている。この開口３０の形状は、ライザ部１２の凸部１２１を、この開口３０に差し込むように挿通することができる形状であれば特限定しない。この開口３０のより好ましい形状としては、シート片２５の長辺の長さＸより長い長辺Ｘ’と、ライザ部１２の凸部１２１の幅Ｚ２と略同じ短辺Ｚ’とからなる長方形の形状が挙げられる。【００２６】
また、基材３１には、開口３０間に、上述したシート片２５を凹部底面１２５に貼着する前に仮留めのための粘着層３５が設けられている。この粘着層３５は、開口３０間の幅Ｙ’の大方を覆うように設けられており、その粘着力は、シート片２５を凹部底面１２５に貼着するまでの間、剥がれない程度で、かつ、シート片２５の貼着層２９よりも弱い粘着力を有している。これにより、シート片２５がこの転写シート３に粘着された後、凹部底面１２５に貼着する際に、シート片２５を凹部底面１２５から剥がすことなく転写シート３をシート片２５から剥がすことができる。したがって、容易に素早くシート片２５を貼着することができる。【００２７】
この転写シート３の粘着層３５は、適度な粘着性を有する材料を塗布して形成された層で、例えば、エラストマーゲル状のウレタン樹脂（ハイパーゲルＨＧ３０  株式会社エクシールコーポレーション社製）が使用できる。このウレタン樹脂を使用すると、粘着層３０は、チリやホコリ等のゴミが付着して粘着力が低下しても、そのゴミを洗い流すことで回復させることができる。したがって、転写シート３は、シート片２５を何度も粘着することができ、繰り返しの使用が可能となる。【００２８】
また、シート片２５の貼着層２９は、粘着層３５に使用される材料よりも粘着力の強い材料が使用される。例えば、上述のエラストマーゲル状のウレタン樹脂と同種のもので、より粘着力の高いものを使用することで、シート片２５をライザ部１２の凹部底面１２５から剥がしても、ゴミを洗い流すことで再度シート片２５を貼着することが可能となる。【００２９】
転写シート３をこのような構造とすることで、シート片２５を転写シート３の裏面側から押圧してライザ部１２の凹部底面１２５に貼着する際、開口３０にライザ部１２の凸部１２１が挿通されることで、シート片２５がライザ部１２の凹部底面１２５に到達する。したがって、隣り合う複数のシート片２５を同時に押圧しても、シート片２５の位置が貼着する凹部底面１２５に対してずれたり、シート片２５自身が歪むことなく貼着することができる。そして、容易に素早くシート片２５を貼着することができる。【００３０】
複数のシート片２５が粘着された転写シート３を押圧する際、図６のような押圧部材４が使用できる。これによって、シート片２５を凹部底面１２５に向かって押圧し、シート片２５を凹部底面１２５に貼着させることができる。この押圧部材４は、任意の厚さを有する板状の部材で、基体４５の一端に複数の突起４０が略等間隔で、この複数の突起４０がライザ部１２の凹部に差し込めるように備えられている。より具体的にこの突起４０は、ライザ部１２の凹部１２０の幅Ｙ２と略同じ幅Ｙ’’と、基体４５の端面からライザ部１２の凹部の深さよりも長い長さを有している。そして、複数の突起４０は、ライザ部１２の凸部１２１の幅Ｚ２と略同じ幅Ｚ’’の間隔を空けて設けられている。【００３１】
複数の突起４０を備える基体４５は、図６のように、略矩形の形状を有しているが、複数の突起４０をライザ部１２の凹部１２０に差し込み、シート片２５を凹部底面１２５に貼着可能な程度に凹部底面１２５に向かって十分に押圧することができればよく、任意の大きさ及び形状でもよい。【００３２】
上述した本発明の転写シート３と押圧部材４とを以下のように使用することで、所定の情報が形成されたシート部材を切断してなる複数のシート片２５をライザ部１２の凹部底面１２５に貼着することができる。以下、本発明のシート片２５の貼着方法について、本発明の転写シート３と本発明の押圧部材４との使用方法と共に図面を参照して説明する。【００３３】
上述したように、剥離紙２８上に形成された複数のシート片２５は、剥離紙２８が外側になるように、基材３１上の粘着層３５に同時に粘着される。剥離紙２８上の複数のシート片２５は、凸部１２１の幅Ｚ２と略同じ幅Ｚの間隔で複数並んでいる。一方、転写シート３の基材３１の複数の開口３０は、凹部底面１２５の幅Ｙ２と略同じ幅Ｙ’の間隔で並んでいる。そして、剥離紙２８上のシート片２５の幅Ｙと、開口３０間の幅Ｙ’とは、ライザ部１２の凹部底面１２５の幅Ｙと略同じである。そして、剥離紙２８上に並んだ複数のシート片２５のそれぞれを基材３１の開口３０を塞ぐことがないように位置合わせし、基材３１に対して複数のシート片２５を同時に粘着する。このとき、シート片２５は、所定の情報が形成されている一方主面が転写シート３の基材３１に向かい合うように粘着される。シート片２５は、上述のように、１つのシート部材２０を切断してなるため、隣接するシート片２５の順番の入れ違い及びシート片２５の位置のずれがない。すなわち、ライザ部１２に貼着するシート片２５の順番や、貼着する位置が保たれたまま、きれいにシート片２５をライザ部１２の凹部底面１２５に貼着することができる。【００３４】
複数のシート片２５を粘着させた転写シート３は、シート片２５から剥離紙２８が剥離される。剥離紙２８が剥離されることで、転写シート３は、図７のように、複数のシート片２５の貼着層２９が露出した状態できれいに配列した状態となる。貼着層２９が露出したシート片２５を複数備える転写シート３には、ライザ部１２の凸部１２１の幅Ｚ２と略同じ幅Ｚ’を有する開口３０が複数ある。この転写シート３は、シート片２５の貼着層２９がエスカレータ１のライザ部１２に向かい合うように配置され、開口３０にライザ部１２の凸部１２１が挿通される。【００３５】
ライザ部１２の凸部１２１が開口３０に挿通された転写シート３は、開口３０によって、シート片２５の貼着層２９を有する面が凹部底面１２５と向かい合うように、凹部底面と接触している。このような状態の転写シート３に対して、図８のように、押圧部材４を使って、転写シート３を介して、複数のシート片２５をライザ部１２の凹部底面１２５に同時に押圧する。押圧部材４は、上述のように、凹部底面１２５の幅Ｙ２と略同じ幅Ｙ’’の複数の突起４０が備えられているため、転写シート３を介して、押圧部材４でシート片２５を凹部底面１２５に向かって押圧することができる。シート片２５における転写シート３の粘着層３５を有する面の反対側の他方主面には、貼着層２９が備えられている。そのため、押圧部材４によるシート片２５の押圧によって、シート片２５を凹部底面１２５に貼着させることができる。このとき、転写シート３の開口３０に凸部１２１を挿通することで、ライザ部１２と転写シート３との位置がずれることなく定まり、貼着層２９が露出した状態できれいに配列した複数のシート片２５を、転写シート３上での位置を保ったまま、ライザ部１２の凹部底面１２５に貼着することができる。すなわち、転写シート３により、容易にシート片２５を貼着する位置が決定でき、素早くシート片２５を貼着することができる。【００３６】
押圧部材４で押圧した後、転写シート３は、複数のシート片２５から剥がされる。転写シート３の基材３１上の粘着層３５の粘着力は、シート片２５の貼着層２９より弱いため、転写シート３をシート片２５から剥がしても、シート片２５は凹部底面１２５から剥がれない。これにより、図９のように、複数のシート片２５をエスカレータ１のライザ部１２の凹部底面１２５に同時に貼着することができる。転写シート３を剥がした後、押圧部材４を使用して、シート片２５を押圧してもよい。これにより、より強固にシート片２５を凹部底面１２５に貼着させることができる。【００３７】
このように、本発明のシート片貼着方法は、所定の情報が形成されたシート状部材を切断してなるシート片２５を、凹部底面１２５に貼着させる前に、転写シート３の開口３０間に粘着させる。そして、開口３０に凸部１２１を挿通するようにシート片２５と凹部底面１２５を接触させ、押圧部材４によってシート片２５を凹部底面１２５に向かって押圧する。これにより、隣接するシート片２５の順番の入れ違い及びシート片２５の位置のずれがなく、同時に凹部底面１２５にシート片２５を貼着することができる。すなわち、ライザ部１２に貼着されたシート片２５は、貼着された位置がずれずにきれいに貼着できるとともに、図９のように、切断前に形成されていた所定の情報を認識することができる。そして、シート片２５を貼着する位置を気にせずに、同時に凹部底面１２５に貼着することができるため、シート片２５を１枚ずつ貼着させていた従来の方法に比べて格段に素早く作業することができる。また、踏み込み台１０の一部を分解したりする必要がなく、手軽に作業することができ、エスカレータの停止時間も短くすることができる。【００３８】
また、本発明の転写シート３は、開口３０を塞ぐことなく、隣接するシート片２５の順番の入れ違い及びシート片２５の位置のずれがなく粘着される。また、この転写シート３は、凸部１２１の幅Ｙ２と略同じ幅Ｙ’の開口３０を有することで、凸部１２１を挿通させることができる。これにより、ライザ部１２と転写シート３との位置が定まる。したがって、転写シート３を使うことで、隣接する複数のシート片２５の順番が入れ違ったり、複数のシート片２５の位置がずれることなく、ライザ部１２と複数のシート片２５との位置が定まる。すなわち、転写シート３により、容易にシート片２５を貼着する位置が決定できる。位置が定まったシート片２５は、同時に凹部底面１２５に接触するため、このシート片２５を凹部底面１２５に向かって押圧することで、素早くシート片２５を貼着することができる。【００３９】
また、開口３０を設けることで、シート片２５を貼着させる際、開口３０にライザ部１２の凸部１２１が挿通することができ、ライザ部１２の湾曲した形状に合わせて開口３０の長辺Ｘ'の方向に撓むだけで、開口３０の長辺Ｘ’に対して直角の方向への歪みが少なくなる。そして、シート片２５が歪んだり、ライザ部１２の凹部底面１２５の長手方向に対して斜行したりすることなく、きれいに素早くシート片を貼着することができる。【００４０】
さらに、開口３０の長辺Ｘ’をシート片２５の長手方向の長さＸよりも長くすることで、開口３０にライザ部１２の凸部１２１を挿通した際に、開口３０間の後述する粘着層３５が備えられた部分がライザ部１２の凹部１２０に入れ込むことが可能となる。すなわち、粘着層３５に粘着されるシート片２５の貼着層２９のほとんどの部分が、シート片２５の歪みがない状態で凹部底面１２５に接触する。したがって、シート片２５が歪んで貼着されないように特別な注意を払うこともなく、短時間できれいにシート片２５を凹部底面１２５に貼着させることが可能となる。【００４１】
本発明の発明者は、以前、上述のように所定の情報を有するシート部材２０を切断してなるシート片２５を１つずつライザ部１２の凹部底面１２５に押し込んで貼着させていた。この方法では非常に時間が掛かるため、複数のシート片を貼着させるために、シート片の長手方向の端部を繋ぐように接続したものを使用し、シート片の貼着後にシート片２５を繋ぐ部分を切断する方法を考案した。しかしながら、ライザ部１２に形成される溝によって、切断後のシート片が歪み、シート片の切断箇所の形状が不均一となるため、ライザ部の凹部底面にきれいに貼着することができなかった。【００４２】
本発明の転写シート３を用いた上述した本発明の方法であれば、切断されたシート片２５は、ライザ部１２の凸部１２１を開口３０に差し込むように挿通させることで、開口３０間に粘着されたシート片２５の長辺がライザ部１２の凹部底面１２５の長手方向に対して平行となるように、シート片２５を凹部底面１２５に接触させることができる。すなわち、複数のシート片２５を凹部底面１２５に真っ直ぐ貼着することができる。シート片２５は、転写シート３に粘着される前に、ライザ部１２の凹部底面１２５に貼着させる状態に切断されている。したがって、本発明の転写シート３を用いることで、きれいに切断された複数のシート片２５を歪みなく同時にライザ部１２の凹部底面１２５に貼着させることができる。【００４３】
上述した情報としては、特に限定されるものではないが、文字や図形や記号などの集合体が挙げられ、具体的には、広告などが挙げられる。【００４４】
また、上述の説明では、所定の情報が形成されたシート部材２０を切断してなる複数のシート片２５は、ライザ部１２の凹部底面１２５に備えられるものとして説明したが、本発明は、ステップ部１１の凹部底面１１５に備えられていてもよい。【００４５】
さらに、上述の説明において、シート片２５は、幅Ｚの間隔を空けて切断されるものであったが、シート片２５は、幅Ｚの間隔を空けずに切断されてなるものであってもよい。この場合、シート片２５は、一枚ずつ転写シート３の粘着層３５に粘着させてもよい。
【図１】
2008018224.tif 000003
【図２】
2008018224.tif 000004
【図３】
2008018224.tif 000005
【図４】
2008018224.tif 000006
【図５】
2008018224.tif 000007
【図６】
2008018224.tif 000008
【図７】
2008018224.tif 000009
【図８】
2008018224.tif 000010
【図９】
2008018224.tif 000011
【国際調査報告】
2008018224.tif 000012
2008018224.tif 000013
2008018224.tif 000014